(57)【特許請求の範囲】
【請求項１】
光源ランプ、リフレクタ、およびこれらを位置決め固定する固定枠を有する光源装置と、
この光源装置を収納し、内部に照明光軸が設定された筐体とを備えた照明光学装置であって、
前記光源ランプおよび前記リフレクタは、一体化され、
前記固定枠は、前記リフレクタの外周部分が当接し、前記光源ランプおよび前記リフレクタを、前記筐体内の照明光軸方向および照明光軸直交方向に位置決めする複数の位置決め面を有し、
前記リフレクタを付勢してこれら複数の位置決め面に当接させる複数の付勢部材と、
前記筐体に設けられ、前記光源装置が前記筐体に収納されると、前記複数の付勢部材のうち、照明光軸直交方向に前記リフレクタを付勢する付勢部材を押圧し、この付勢部材に前記リフレクタを付勢させる押圧部とを備えていることを特徴とする照明光学装置。
【請求項２】
請求項１に記載の照明光学装置において、
前記複数の付勢部材は、前記固定枠に取り付けられていることを特徴とする照明光学装置。
【請求項３】
請求項１または請求項２に記載の照明光学装置において、
前記照明光軸直交方向に前記リフレクタを付勢する付勢部材には、前記リフレクタを照明光軸方向に位置決めする光軸方向位置決め部が設けられていることを特徴とする照明光学装置。
【請求項４】
請求項１から請求項３のいずれかに記載の照明光学装置において、
前記照明光軸直交方向に前記リフレクタを付勢する付勢部材は、前記筐体に対する前記光源装置の挿入方向の位置決めを兼用することを特徴とする照明光学装置。
【請求項５】
光源から射出された光束を画像情報に応じて変調して光学像を形成し、拡大投射するプロジェクタであって
請求項１から請求項４のいずれかに記載の照明光学装置を備えていることを特徴とするプロジェクタ。
【請求項６】
一体化された光源ランプおよびリフレクタと、これらを位置決め固定する固定枠とを備え、内部に照明光軸が設定された筐体に収納される光源装置であって、
前記固定枠は、
前記リフレクタの外周部分が当接し、前記光源ランプおよび前記リフレクタを、前記筐体内の照明光軸方向および照明光軸直交方向に位置決めする複数の位置決め面を有し、
前記筐体への収納時に該筐体に設けられた押圧部と接触して、前記リフレクタを前記光軸直交方向に付勢する付勢部材を備えていることを特徴とする光源装置。
【発明の詳細な説明】
【０００１】
【発明の属する技術分野】
本発明は、光源ランプ、リフレクタ、およびこれらを位置決め固定する固定枠を有する光源装置と、この光源装置を収納し、内部に照明光軸が設定された筐体とを備えた照明光学装置、プロジェクタに関する。
【０００２】
【背景技術】
従来より、会議、学会、展示会等でのプレゼンテーションにプロジェクタが用いられ、コンピュータ等と接続してコンピュータの画像を大画面表示することにより、プレゼンテーションの効率化が図られている。
このプロジェクタは、光源と、光源から射出された光束を画像情報に応じて変調して光学像を形成する電気光学装置と、形成された光学像を投写面上に拡大投写する投写光学系とを備えて構成される。
【０００３】
このようなプロジェクタに用いられる光源ランプとしては、メタルハライドランプや高圧水銀ランプがあり、これらのランプは、永年の使用により発光輝度が低下したり、場合によっては破裂して機能しなくなることがある。
【０００４】
このため、通常、プロジェクタは、光源ランプおよびリフレクタを含む光源装置を本体から着脱可能に構成し、光源ランプの発光輝度が低下等した場合、適宜交換することができるようになっている。
【０００５】
ところで、このようなプロジェクタは、電気光学装置、投写光学系の他に、投写画像に均一な面内照度を持たせるため均一照明光学素子や、電気光学装置の画像形成領域上に光源から射出された光束を集光する集光光学素子を備えている。そしてこれらの光学素子は、光源ランプから投写光学系に至る光路の照明光軸上に高精度に配置されなければ、高画質の投写画像が得られない。このため前述した光学素子は、内部に照明光軸が設定された光学部品用筐体内に収納され、この照明光軸に対して高精度に位置決め固定されている。
【０００６】
このような本体構成において、光源装置を着脱可能とする場合、光源装置を装着したときに、光学部品用筐体内に設定された照明光軸上に適切に配置されなければならない。
このため、光学部品用筐体の光源装置収納部分で高精度に係合するランプ固定枠を設け、光源ランプおよびリフレクタをこのランプ固定枠に取り付けることによって、ランプ固定枠を光学部品用筐体に装着すると、光源ランプの発光点が筐体内部の照明光軸上に自動的に配置される構成が採用されていた。
【０００７】
ここで、ランプ固定枠は、リフレクタの外周部分が当接し、光源ランプおよびリフレクタを照明光軸方向および照明光軸直交方向に位置決めする複数の位置決め面を有し、リフレクタをこの複数の位置決め面に対して押圧付勢することにより、ランプ固定枠に対する光源ランプおよびリフレクタの位置決め固定が行われている。そして、押圧付勢する部材としては従来より、照明光軸方向の位置決め面とリフレクタの外周部分に形成されたフランジを狭持するクリップ状のバネと、照明光軸直交方向の位置決め面とは反対のリフレクタの斜め後方から延出し、該位置決め面で係合する線状のバネとが採用されていた。
これにより、クリップ状のバネによりリフレクタを照明光軸方向の位置決め面に押圧付勢し、線状のバネにより、リフレクタを照明光軸直交方向の２つの位置決め面に押圧付勢することができる。
【０００８】
【発明が解決しようとする課題】
しかしながら、このような従来の光源装置の構成では、光源装置の組み立て時にランプ固定枠に対して、リフレクタを高精度に位置決め固定しなければならず、光源装置の製造が煩雑化するという問題がある。
また、クリップ状のバネは板バネ材から製造できるが、線状のバネは棒バネ材で製造する必要があり材料コストが高く、かつ線状のバネは同時に２つの位置決め面にリフレクタを押圧付勢しなければならないため、形状が複雑になり、部品点数の複雑化、部品コストの高騰を招くという問題がある。
【０００９】
本発明の目的は、光源装置の組み立ての簡素化を図ることができ、部品コストを低減することができる照明光学装置、プロジェクタおよび光源装置を提供することにある。
【００１０】
【課題を解決するための手段】
上記目的を達するために、本発明の照明光学装置は、光源ランプ、リフレクタ、およびこれらを位置決め固定する固定枠を有する光源装置と、この光源装置を収納し、内部に照明光軸が設定された筐体とを備えた照明光学装置であって、前記光源ランプおよび前記リフレクタは、一体化され、前記固定枠は、前記リフレクタの外周部分が当接し、前記光源ランプおよび前記リフレクタを、前記筐体内の照明光軸方向および照明光軸直交方向に位置決めする複数の位置決め面を有し、前記リフレクタを付勢してこれら複数の位置決め面に当接させる複数の付勢部材と、前記筐体に設けられ、前記光源装置が前記筐体に収納されると、前記複数の付勢部材のうち、照明光軸直交方向に前記リフレクタを付勢する付勢部材を押圧し、この付勢部材に前記リフレクタを付勢させる押圧部とを備えていることを特徴とする。
【００１１】
このような本発明によれば、照明光軸方向をｚ軸方向とし、この照明光軸と直交し、照明光軸により規定される光路面に沿った方向をｘ軸方向とし、さらに光路面に直交する方向をｙ軸方向として、固定枠にリフレクタを位置決めする際に、ｙ軸方向を除いた、ｚ軸方向とｘ軸方向の計２方向のみを位置決めする。そして、光源装置として前記筐体に収納される際に、筐体に設けられた押圧部がｙ軸方向に付勢部材を押圧する。そして、押圧された付勢部材がリフレクタをこのｙ軸方向に付勢することで、リフレクタの位置決めがなされる。従って、従来のように、固定枠にリフレクタを固定する際に、予め上記した３方向の位置決めを高精度に位置決めする必要がないので、光源装置の組み立ての簡素化を図ることができる。また、線状のバネを用いることなく、形状の単純な板バネ材等の付勢部材を用いてリフレクタを位置決め固定することができる。この形状の単純な板バネ材等は、製造が簡単であるため安価である。従って、部品コストを低減することができる
【００１２】
本発明の照明光学装置では、前記複数の付勢部材は、前記固定枠に取り付けられていることが好ましい。
これによれば、固定枠は前記複数の位置決め面を有している。そして、これらの複数の付勢部材は、位置決め面に向かって確実にリフレクタを付勢しなければならない。ここで、複数の付勢部材は、前記固定枠に取り付けられていることにより、リフレクタを付勢する方向にずれが生じることがない。従って、より確実に固定枠にリフレクタの位置決め・固定を行うことができる。
【００１３】
本発明の照明光学装置では、前記照明光軸直交方向に前記リフレクタを付勢する付勢部材には、前記リフレクタを照明光軸方向に位置決めする光軸方向位置決め部が設けられていることが好ましい。
これによれば、前記照明光軸直交方向に前記リフレクタを付勢する付勢部材には、光軸方向位置決め部が設けられていることにより、１つの付勢部材で、２方向の位置決めを行う。従って、部品点数を減らすことができるので、部品コストを低減することができる。
【００１４】
本発明の照明光学装置では、前記照明光軸直交方向に前記リフレクタを付勢する付勢部材は、前記筐体に対する前記光源装置の挿入方向の位置決めを兼用することが好ましい。
これによれば、前記照明光軸直交方向に前記リフレクタを付勢する付勢部材は、前記筐体に対する前記光源装置の挿入方向の位置決めを兼用することにより、リフレクタの位置決め面に対する位置決めと光源装置の位置決めの２つの作業を１つの作業で行うことができるので、作業効率の向上を図ることができる。
【００１５】
本発明のプロジェクタは、光源から射出された光束を画像情報に応じて変調して光学像を形成し、拡大投射するプロジェクタであって前述の照明光学装置を備えていることを特徴とする。
ここで、プロジェクタの光源ランプは、従来より交換の頻度が大きいものである。そのため、光源ランプおよび光源装置の照明光軸方向の位置決めは、交換の都度行わなければならず、できる限り、簡素化することが望まれている。従って、プロジェクタが、前述の照明光学装置を備えていれば、光源ランプや光源装置自体の位置決めをし易いので、よりメンテナンスのし易いプロジェクタとすることができる。
【００１６】
本発明の光源装置は、一体化された光源ランプおよびリフレクタと、これらを位置決め固定する固定枠とを備え、内部に照明光軸が設定された筐体に収納される光源装置であって、前記固定枠は、前記リフレクタの外周部分が当接し、前記光源ランプおよび前記リフレクタを、前記筐体内の照明光軸方向および照明光軸直交方向に位置決めする複数の位置決め面を有し、前記筐体への収納時に該筐体に設けられた押圧部と接触して、前記リフレクタを前記光軸直交方向に付勢する付勢部材を備えていることを特徴とする。
このような本発明によれば、前述と同様にして、光源装置の組み立ての簡素化を図ることができ、部品コストを低減することができる
【００１７】
【発明の実施の形態】
以下、本発明の一実施形態を図面に基づいて説明する。
〔１．プロジェクタの主な構成〕
図１は、本発明に係るプロジェクタ１を上方前面側から見た斜視図である。図２は、プロジェクタ１を下方背面側から見た斜視図である。
図１または図２に示すように、プロジェクタ１は、射出成形によって成形された略直方体状の外装ケース２を備える。この外装ケース２は、プロジェクタ１の本体部分を収納する合成樹脂製の筐体であり、アッパーケース２１と、ロアーケース２２とを備え、これらのケース２１、２２は、互いに着脱自在に構成されている。
【００１８】
アッパーケース２１は、図１、２に示すように、プロジェクタ１の上面、側面、前面、および背面をそれぞれ構成する上面部２１Ａ、側面部２１Ｂ、前面部２１Ｃおよび背面部２１Ｄを含んで構成される。
同様に、ロアーケース２２も、図１、２に示すように、プロジェクタ１の下面、側面、前面、および背面をそれぞれ構成する下面部２２Ａ、側面部２２Ｂ、前面部２２Ｃ、および背面部２２Ｄを含んで構成される。
【００１９】
従って、図１、２に示すように、直方体状の外装ケース２において、アッパーケース２１およびロアーケース２２の側面部２１Ｂ、２２Ｂ同士が連続的に接続されて直方体の側面部分２１０が構成され、同様に、前面部２１Ｃ、２２Ｃ同士の接続で前面部分２２０が、背面部２１Ｄ、２２Ｄ同士の接続で背面部分２３０が、上面部２１Ａにより上面部分２４０が、下面部２２Ａにより下面部分２５０がそれぞれ構成される。
【００２０】
図１に示すように、上面部分２４０において、その前方側には操作パネル２３が設けられ、この操作パネル２３の近傍には音声出力用のスピーカ孔２４０Ａが形成されている。
【００２１】
前方から見て右側の側面部分２１０には、２つの側面部２１Ｂ、２２Ｂを跨る開口２１１が形成されている。ここで、外装ケース２内には、後述するメイン基板５１と、インターフェース基板５２とが設けられており、この開口２１１に取り付けられるインターフェースパネル５３を介して、メイン基板５１に実装された接続部５１Ｂと、インターフェース基板５２に実装された接続部５２Ａとが外部に露出している。これらの接続部５１Ｂ、５２Ａにおいて、プロジェクタ１には外部の電子機器等が接続される。
【００２２】
前面部分２２０において、前方から見て右側で、前記操作パネル２３の近傍には、２つの前面部２１Ｃ、２２Ｃを跨ぐ円形状の開口２２１が形成されている。この開口２２１に対応するように、外装ケース２内部には、投写レンズ４６が配置されている。この際、開口２２１から投写レンズ４６の先端部分が外部に露出しており、この露出部分の一部であるレバー４６Ａを介して、投写レンズ４６のフォーカス操作が手動で行えるようになっている。
【００２３】
前面部分２２０において、前記開口２２１の反対側の位置には、排気口２２２が形成されている。この排気口２２２には、安全カバー２２２Ａが形成されている。
【００２４】
図２に示すように、背面部分２３０において、背面から見た右側には矩形状の開口２３１が形成され、この開口２３１からインレットコネクタ２４が露出するようになっている。
【００２５】
下面部分２５０において、下方から見て右端側の中央位置には矩形状の開口２５１が形成されている。開口２５１には、この開口２５１を覆うランプカバー２５が着脱自在に設けられている。このランプカバー２５を取り外すことにより、図示しない光源ランプの交換が容易に行えるようになっている。
【００２６】
また、下面部分２５０において、下方から見て左側で背面側の隅部には、一段内側に凹んだ矩形面２５２が形成されている。この矩形面２５２には、外部から冷却空気を吸入するための吸気口２５２Ａが形成されている。矩形面２５２には、この矩形面２５２を覆う吸気口カバー２６が着脱自在に設けられている。吸気口カバー２６には、吸気口２５２Ａに対応する開口２６Ａが形成されている。開口２６Ａには、図示しないエアフィルタが設けられており、内部への塵埃の侵入が防止されている。
【００２７】
さらに、下面部分２５０において、後方側の略中央位置にはプロジェクタ１の脚部を構成する後脚２Ｒが形成されている。また、下面部分２５０における前方側の左右の隅部には、同じくプロジェクタ１の脚部を構成する前脚２Ｆがそれぞれ設けられている。つまり、プロジェクタ１は、後脚２Ｒおよび２つ前脚２Ｆにより３点で支持されている。
２つの前脚２Ｆは、それぞれ上下方向に進退可能に構成されており、プロジェクタ１の前後方向および左右方向の傾き（姿勢）を調整して、投写画像の位置調整ができるようになっている。
【００２８】
また、図１、２に示すように、下面部分２５０と前面部分２２０とを跨るように、外装ケース２における前方側の略中央位置には、直方体状の凹部２５３が形成されている。この凹部２５３には、該凹部２５３の下側および前側を覆う前後方向にスライド自在なカバー部材２７が設けられている。このカバー部材２７により、凹部２５３には、プロジェクタ１の遠隔操作を行うための図示しないリモートコントローラ（リモコン）が収納される。
【００２９】
ここで、図３、４は、プロジェクタ１の内部を示す斜視図である。具体的には、図３は、図１の状態からプロジェクタ１のアッパーケース２１を外した図である。図４は、図３の状態から制御基板５を外した図である。
【００３０】
外装ケース２には、図３、４に示すように、背面部分に沿って配置され、左右方向に延びる電源ユニット３と、この電源ユニット３の前側に配置された平面視略Ｌ字状で光学系としての光学ユニット４と、これらのユニット３、４の上方および右側に配置される制御部としての制御基板５とを備える。これらの各装置３〜５によりプロジェクタ１の本体が構成されている。
【００３１】
電源ユニット３は、電源３１と、この電源３１の下方に配置された図示しないランプ駆動回路（バラスト）とを含んで構成される。
電源３１は、前記インレットコネクタに接続された図示しない電源ケーブルを通して外部から供給された電力を、前記ランプ駆動回路や制御基板５等に供給するものである。
前記ランプ駆動回路は、光学ユニット４を構成する図３、４では図示しない光源ランプに、電源３１から供給された電力を供給するものであり、前記光源ランプと電気的に接続されている。このようなランプ駆動回路は、例えば、基板に配線することにより構成できる。
【００３２】
電源３１および前記ランプ駆動回路は、略平行に上下に並んで配置されており、これらの占有空間は、プロジェクタ１の背面側で左右方向に延びている。
また、電源３１および前記ランプ駆動回路は、左右側が開口されたアルミニウム等の金属製のシールド部材３１Ａによって周囲を覆われている。
シールド部材３１Ａは、冷却空気を誘導するダクトとしての機能に加えて、電源３１や前記ランプ駆動回路で発生する電磁ノイズが、外部へ漏れないようにする機能も有している。
【００３３】
制御基板５は、図３に示すように、ユニット３、４の上側を覆うように配置されＣＰＵや接続部５１Ｂ等を含むメイン基板５１と、このメイン基板５１の下側に配置され接続部５２Ａを含むインターフェース基板５２とを備える。
この制御基板５では、接続部５１Ｂ、５２Ａを介して入力された画像情報に応じて、メイン基板５１のＣＰＵ等が、後述する光学装置を構成する液晶パネルの制御を行う。
【００３４】
メイン基板５１は、金属製のシールド部材５１Ａによって周囲を覆われている。
【００３５】
〔２．光学ユニットの詳細な構成〕
ここで、図５は、光学ユニット４を示す分解斜視図である。図６は、光学ユニット４を模式的に示す図である。
光学ユニット４は、図６に示すように、光源装置４１１を構成する光源ランプ４１６から射出された光束を光学的に処理して画像情報に対応した光学像を形成し、この光学像を拡大して投射するユニットであり、インテグレータ照明光学系４１と、色分離光学系４２と、リレー光学系４３と、光学装置４４と、投写レンズ４６と、これらの光学部品４１〜４４、４６を収納する合成樹脂製のライトガイド４７（図５）とを備える。
【００３６】
インテグレータ照明光学系４１は、光学装置４４を構成する３枚の液晶パネル４４１（赤、緑、青の色光毎にそれぞれ液晶パネル４４１Ｒ、４４１Ｇ、４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備える。
【００３７】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。光源装置４１１については、詳しく、後述する。
【００３８】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００３９】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００４０】
偏光変換素子４１４は、第２レンズアレイ４１３と重畳レンズ４１５との間に配置される。このような偏光変換素子４１４は、第２レンズアレイ４１３からの光を１種類の偏光光に変換するものであり、これにより、光学装置４４での光の利用効率が高められている。
【００４１】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４での光の利用効率を高めている。なお、このような偏光変換素子４１４は、たとえば特開平８−３０４７３９号公報に紹介されている。
【００４２】
色分離光学系４２は、２枚のダイクロイックミラー４２１、４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００４３】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００４４】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００４５】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００４６】
光学装置４４は、入射された光束を画像情報に応じて変調してカラー画像を形成するものであり、色分離光学系４２で分離された各色光が入射される３つの入射側偏光板４４２と、視野角を補正する視野角補正フィルタ板４４８と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される射出側偏光板４４３と、色合成光学系としてのクロスダイクロイックプリズム４４４とを備える。
【００４７】
液晶パネル４４１Ｒ、４４１Ｇ、４４１Ｂは、例えば、ポリシリコンＴＦＴをスイッチング素子として用いたものである。光学装置４４において、色分離光学系４２で分離された各色光は、これら３枚の液晶パネル４４１Ｒ、４４１Ｇ、４４１Ｂ、入射側偏光板４４２、および射出側偏光板４４３によって画像情報に応じて変調されて光学像を形成する。
【００４８】
入射側偏光板４４２は、色分離光学系４２で分離された各色光のうち、一定方向の偏光光のみ透過させ、その他の光束を吸収するものであり、サファイアガラス等の透明基板に偏光膜が貼付されたものである。
【００４９】
視野角補正フィルタ板４４８は、サファイアガラス等の透明基板に視野角を補正するフィルムが貼付されたものである。
【００５０】
射出側偏光板４４３も、入射側偏光板４４２と略同様に構成され、液晶パネル４４１（４４１Ｒ、４４１Ｇ、４４１Ｂ）から射出された光束のうち、所定方向の偏光光のみ透過させ、その他の光束を吸収するものである。
これらの入射側偏光板４４２および射出側偏光板４４３は、互いの偏光軸の方向が直交するように設定されている。
【００５１】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００５２】
以上説明した液晶パネル４４１、射出側偏光板４４３およびクロスダイクロイックプリズム４４４は、一体的にユニット化された光学装置本体４５として構成されている。図７は、光学装置本体４５を示す斜視図である。
光学装置本体４５は、図７に示すように、クロスダイクロイックプリズム４４４と、このクロスダイクロイックプリズム４４４の上面に固定された合成樹脂製の固定板４４７と、クロスダイクロイックプリズム４４４の光束入射端面に取り付けられ、射出側偏光板４４３を保持する金属製の保持板４４６と、この保持板４４６の光束入射側に取り付けられた透明樹脂製の４つのピン部材４４５によって保持される液晶パネル４４１（４４１Ｒ、４４１Ｇ、４４１Ｂ）とを備える。
保持板４４６と液晶パネル４４１との間には、所定間隔の空隙が設けられており、この空隙部分に冷却空気が流れるようになっている。
光学装置本体４５は、固定板４４７に形成された４つの腕部４４７Ａの丸穴４４７Ｂを介して、下ライトガイド４７１にねじ止め固定される。
【００５３】
投写レンズ４６は、光学装置４４のクロスダイクロイックプリズム４４４で合成されたカラー画像を拡大して投写するものである。
ライトガイド４７は、図５に示すように、各光学部品４１２〜４１５、４１８、４２１〜４２３、４３１〜４３４、４４２を上方からスライド式に嵌め込む溝部が形成された下ライトガイド４７１と、下ライトガイド４７１の上側開口を閉塞する蓋状の上ライトガイド４７２とを備えて構成される。
【００５４】
図５に示すように、平面視略Ｌ字状の下ライトガイド４７１の一端側には、光源装置４１１が収容されている。他端側には、下ライトガイド４７１に形成されたヘッド部４７１Ａを介して、投写レンズ４６がねじ止め固定されている。
【００５５】
また、図５に示すように、下ライトガイド４７１に収納された光学装置本体４５は、第１バネ部材５００、第２バネ部材５１０を挟んだ状態で下ライトガイド４７１にねじ止め固定される。この２つのバネ部材５００、５１０は、視野角補正フィルタ板４４８および入射側偏光板４４２を下方へと付勢して位置を固定する。
【００５６】
〔３．冷却構造〕
図８は、図４から前記上ライトガイドおよび光学装置本体４５を取り外した図である。また、図９は、光学ユニット４を示す斜視図である。
ここで、プロジェクタ１には、図８、９に示すように、液晶パネル４４１を主に冷却するパネル冷却系Ａと、偏光変換素子４１４を主に冷却する偏光変換素子冷却系Ｂと、電源ユニット３を主に冷却する電源冷却系Ｃと、光源装置４１１を主に冷却する光源冷却系Ｄとが設けられている。
【００５７】
図８に示すように、パネル冷却系Ａでは、電源ユニット３の下側に配置された大型のシロッコファン６１が用いられている。
パネル冷却系Ａでは、図８または図９に示すように、シロッコファン６１によって、外装ケース２の下面部分２５０に形成された吸気口２５２Ａ（図２）から吸入された外部の冷却空気は、図示しないダクトによって光学装置本体４５の下方へと導かれ、下ライトガイド４７１における各液晶パネル４４１の下側に形成された吸入口からライトガイド４７内部へと入る。この冷却空気は、図９に示すように、各液晶パネル４４１Ｒ、４４１Ｇ、４４１Ｂとクロスダイクロイックプリズム４４４との間の空隙を通って、液晶パネル４４１と前記射出側偏光板を冷却し、上ライトガイド４７２と前記制御基板との間の空間に排出される。また、この冷却空気は、各液晶パネル４４１Ｒ、４４１Ｇ、４４１Ｂとフィールドレンズ４１８との間の空隙を通って、液晶パネル４４１と入射側偏光板４４２を冷却し、上ライトガイド４７２と制御基板５との間の空間に排出される。この際、この空間に排出された空気は、上ライトガイド４７２の上端部分４７２Ａと前記制御基板５の当接により、投写レンズ４６側へは流れないようになっている。
【００５８】
偏光変換素子冷却系Ｂでは、前記シロッコファン６１によって吸入された冷却空気は、下ライトガイド４７１の下側に配置された図示しないダクトによって、偏光変換素子４１４の下側まで導かれ、下ライトガイド４７１における偏光変換素子４１４の下側に形成された吸入口からライトガイド４７内へ入り、偏光変換素子４１４を冷却した後に、上ライトガイド４７２に形成された排出口４７４から排出される。
【００５９】
電源冷却系Ｃでは、図８に示すように、金属製の板材を挟んでシロッコファン６１の上側に配置された小型のシロッコファン６２が用いられている。
電源冷却系Ｃでは、パネル冷却系Ａによって上ライトガイド４７２と前記制御基板５の間に流れてきた冷却空気は、制御基板５を冷却しつつシロッコファン６２によって吸入され、電源ユニット３の内部側へと排出される。この内部に排出された空気は、シールド部材３１Ａに沿って流れて電源３１および前記ランプ駆動回路を冷却し、シロッコファン６２とは反対側の開口から排出される。
【００６０】
光源冷却系Ｄでは、光源装置４１１の前面側に配置された軸流ファン６３と、この軸流ファン６３に取り付けられたダクト６４とが用いられている。
光源冷却系Ｄでは、電源冷却系Ｃおよび偏光変換素子冷却系Ｂから排出された空気は、軸流ファン６３の吸引によって、光源装置４１１の側面部分に形成されたスリット状の開口から光源装置４１１内に入り込んで光源ランプ４１６を冷却し、ダクト６４を介して、外装ケース２の排気口２２２から外部へと排出される。
【００６１】
〔４．光源装置の構造〕
図１０には、光源装置４１１の前部の斜視図、図１１には、光源装置４１１の後部の斜視図、図１２には、固定枠であるランプハウジング７０の斜視図がそれぞれ示されている。
光源装置４１１は、コネクタ９０と、光源ランプ４１６と、リフレクタ４１７と、固定枠であるランプハウジング７０と、付勢部材である板バネ８０とを備えて構成される。コネクタ９０は、外部から電力を供給する。コネクタ９０は、コネクタケーブル９０Ａ、９０Ｂとを備えている。
【００６２】
光源ランプ４１６は、発光管内に一対の電極を光源ランプ４１６の軸心に沿って対向配置させた構造となっている。光源ランプ４１６は、これら一対の電極間に電位を与えることによって発生する放電を利用した放電灯である。光源ランプ４１６の軸心上には、第１の電極端子４１６Ａが設けられている。また、リフレクタ４１７の外周面上には、第２の電極端子４１６Ｂが設けられている。電極端子４１６Ａ、４１６Ｂは、光源ランプ４１６の電極と、コネクタケーブル９０Ａ、９０Ｂとを電気的に接続するための端子である。光源ランプ４１６には、高圧水銀ランプを採用している。なお、高圧水銀ランプ以外に、メタルハライドランプやハロゲンランプ等も採用できる。
【００６３】
リフレクタ４１７は、放物面形状を有する。また、リフレクタ４１７の前面部分の外周部には、ランプハウジング７０と当接するフランジ４１７Ａが設けられている。リフレクタ４１７には、放物面鏡を採用している。なお、放物面鏡の代わりに、平行化凹レンズおよび楕円面鏡を組み合わせたものを採用してもよい。また、光源ランプ４１６およびリフレクタ４１７は、一体化されている。
【００６４】
ランプハウジング７０は、詳しくは図１２に示されるように、リフレクタ４１７の一部の側面を覆う側部ハウジング７００と、リフレクタ４１７が載置される底部ハウジング７５０とを含んで構成されている。ランプハウジング７０は、樹脂の一体成形によって形成されている。
【００６５】
側部ハウジング７００は、光射出面を規定する矩形状の前面部７１０と、リフレクタ４１７の一側面の一部を覆う第１側面部７２０と、第１側面部７２０の反対側の第２側面部７３０とを含んで断面コ字形状に形成されている。
【００６６】
前面部７１０の内面は、光源ランプ４１６およびリフレクタ４１７の前後方向、すなわち光軸方向（ｚ軸方向）の位置決め面とされている。
前面部７１０には、中央部分に前面部７１０に対応した矩形状の前面開口部７１１が形成されている。また、前面部７１０の上側の１辺の第１側面部７２０よりの部分に、取り付け部７１２が設けられている。さらに、前面部７１０の上側の１辺の第２側面部７３０よりの部分は、角を切り落とした形状とされた取り付け部７１３が設けられている。前面開口部７１１の取り付け部７１３側の角隅部には、取り付け溝７１４が形成されている。これら取り付け部７１３および取り付け溝７１４は、平行に設けられている。
【００６７】
第１側面部７２０の内面は、光源ランプ４１６およびリフレクタ４１７の左右方向、すなわち光軸直交方向でかつ、照明光軸により規定される光路面に沿った方向（ｘ軸方向）の位置決め面とされている。
第１側面部７２０の上側の１辺は、取り付け部７１２と連続している。また、第１側面部７２０には、台形状の側面開口部７２１、７２２が形成されている。側面開口部７２１は、側面開口部７２２よりも上側に形成されており、側面開口部７２２よりも大きい。
【００６８】
第２側面部７３０の上側の１辺は、取り付け部７１３の下側から水平方向に延びている。また、第２側面部７３０には、台形状の側面開口部７３１が形成されている。さらに、第２側面部７３０の上側の１辺には、取り付け溝７３２が形成されている。
また、第２側面部７３０の下側かつ前面部７１０側の部分には、調整材７３３が設けられている。さらに、第２側面部７３０の下側かつ前面部７１０側から少し離れた部分には、第２側面部７３０から底部ハウジング７５０にかけて台形状のガイド７３４が設けられている。また、ガイド７３４は、リフレクタ４１７（図１０、１１参照）の前面部分に設けられたフランジ４１７Ａを前面部７１０と挟み込んで固定する。すなわち、ガイド７３４は、フランジ４１７Ａの厚みと対応した位置に設けられている。また、図示しないが、第１側面部７２０の下側にも同様の台形状ガイドがあり、フランジ４１７Ａと前面部７１０とを挟み込んで固定する。
【００６９】
底部ハウジング７５０は、基台部７６０と、収容底部７７０と、固定部７８０とを備えて構成されている。
基台部７６０は、端子固定部７６１、７６２と、コネクタ固定部７６３とを備えている。端子固定部７６１では、電極端子４１６Ａとコネクタケーブル９０Ａとがネジ止め固定される。端子固定部７６２では、電極端子４１６Ｂとコネクタケーブル９０Ｂとがネジ止め固定される。また、基台部７６０の端子固定部７６１および７６２で囲まれた頂点部分には、係合部７６０Ａおよびネジ７６０Ｂが設けられている。
係合部７６０Ａは、光源装置４１１を内部に照明光軸が設定された後述する筐体である下ライトガイド４７１に収納する際に、位置決め固定するためのものである。ネジ７６０Ｂは、この収納の際に光源装置４１１の固定を行うためのものである。
コネクタ固定部７６３は、コネクタ９０を収納し、固定する。
【００７０】
収容底部７７０は、基台部７６０より上側に階段状に形成されている。収容底部７７０は、光源ランプ４１６およびリフレクタ４１７の上下方向、すなわち光軸直交方向（ｙ軸方向）の位置決め面とされている。
【００７１】
固定部７８０は、第１側面部７２０側に延出されて、設けられた矩形状の部分である。また、固定部７８０には、係合部７８０Ａおよびネジ７８０Ｂが設けられている。係合部７８０Ａは、光源装置４１１を下ライトガイド４７１に収納する際に、位置決め固定するためのものである。ネジ７８０Ｂは、この収納の際に光源装置４１１の固定を行うためのものである。
【００７２】
板バネ８０は、リフレクタ４１７を付勢して前述した複数の位置決め面に当接させる。板バネ８０は、第１板バネ８１（図１２参照）と、第２板バネ８２（図１０、１１参照）と、第３板バネ８３（図１０、１１参照）とを備える。これら第１板バネ８１と、第２板バネと、第３板バネは、ランプハウジング７０に取り付けられている。具体的には、第１板バネ８１は、図１２に示されるように、第２側面部７３０の取り付け溝７３２に取り付けられている。第２板バネ８２は、前面部７１０の取り付け部７１３および取り付け溝７１４に取り付けられる。第３板バネ８３は、前面部７１０の取り付け部７１２に取り付けられる。
【００７３】
図１３には、第１板バネ８１の斜視図、図１４には、第２板バネ８２の斜視図、図１５には、第３板バネ８３の斜視図がそれぞれ示されている。
第１板バネ８１は、図１３に示されるように、バネ係合部８１０と、バネ部８１１と、固定部８１２とを備え、金属の一体成形によって形成されている。また、第１板バネ８１は、ランプハウジング７０の第１側面部７２０の内面すなわち光軸直交方向（ｘ軸方向）の位置決め面にリフレクタ４１７を付勢する。
【００７４】
バネ係合部８１０は、ランプハウジング７０に第１板バネ８１を取り付ける際に、第２側面部７３０の取り付け溝７３２に係合させる部分である。また、バネ係合部８１０は、第１バネ係合部８１０Ａと、第２バネ係合部８１０Ｂと、第３バネ係合部８１０Ｃとを備え、コ字形に連続して形成されている。
第１バネ係合部８１０Ａは、その先端部分が第３バネ係合部８１０Ｃに近づくように傾斜して設けられている。第１バネ係合部８１０Ａは、第３バネ係合部８１０Ｃよりも長く形成されている。
【００７５】
バネ部８１１は、ランプハウジング７０に第１板バネ８１を取り付ける際に、付勢力を発生する部分である。
また、バネ部８１１は、第１バネ部８１１Ａと、第２バネ部８１１Ｂと、第３バネ部８１１Ｃとを備え、断面ハの字形に連続して形成されている。第１バネ部８１１Ａおよび第３バネ部８１１Ｃは、同じ方向に約１０度ほど傾斜し、略同じ長さに形成されている。
【００７６】
固定部８１２は、ランプハウジング７０に第１板バネ８１を取り付ける際に、第２側面部７３０に設けられた穴に入り第１板バネ８１がランプハウジング７０からぬけないようにする部分である。
また固定部８１２は、第１固定部８１２Ａと、第２固定部８１２Ｂとを備え、折り曲げて重なった形状に形成されている。第１固定部８１２Ａは、第２固定部８１２Ｂの略半分の長さである。
【００７７】
第２板バネ８２は、図１４に示されるように、光軸方向位置決め部８２０と、光軸直交方向位置決め部８２４とを備え、金属の一体成形によって形成されている。また、第２板バネ８２は、ランプハウジング７０の前面部７１０の内面すなわち光軸方向（ｚ軸方向）の位置決め面にリフレクタ４１７を付勢する。さらに、第２板バネ８２は、ランプハウジング７０の収容底部７７０すなわち光軸直交方向（ｙ軸方向）の位置決め面にもリフレクタ４１７を付勢する。そして、第２板バネ８２は、下ライトガイド４７１に対する光源装置４１１の挿入方向（ｙ軸方向）の位置決めを兼用している。
【００７８】
光軸方向位置決め部８２０は、光軸方向（ｚ軸方向）の位置決め面にリフレクタ４１７を付勢する。また、光軸方向位置決め部８２０は、基部８２１と、第１係合部８２２と、第２係合部８２３とを備えている。基部８２１は、略矩形状である。第１係合部８２２は、基部より延び、断面略Ｌ字形である。第１係合部８２２のＬ字形の先端部８２２Ａは、略９０度内側に折れ曲がり、ランプハウジング７０の取り付け溝７１４に挿入される。この先端部８２２Ａにより、第２板バネ８２は、ランプハウジング７０と係合する。第２係合部８２３は、第１係合部８２２と反対側の基部８２１の辺より延び、２つの接触部８２３Ａからなる。接触部８２３Ａは、断面略Ｓ字形である。これら接触部８２３Ａおよび第１係合部８２２は、ランプハウジング７０の前面部７１０およびリフレクタ４１７のフランジ４１７Ａを挟み込む。
【００７９】
光軸直交方向位置決め部８２４は、光軸直交方向（ｙ軸方向）の位置決め面にもリフレクタ４１７を付勢し、下ライトガイド４７１に対する光源装置４１１の挿入方向（ｙ軸方向）の位置決めを兼用するものである。また、光軸直交方向位置決め部８２４は、第１部材８２４Ａと、第２部材８２４Ｂと、第３部材８２４Ｃとを備え、互いに隣接する部材同士は異なる方向に傾斜しているものである。光軸直交方向位置決め部８２４は、光源装置４１１が下ライトガイド４７１に収納されると、下ライトガイド４７１に設けられた後述する押圧部９５と接触して、リフレクタ４１７を光軸直交方向（ｙ軸方向）に付勢する。
【００８０】
第３板バネ８３は、図１５に示されるように、取り付け部８３０と、挟持部８３１とを備え、金属の一体成形によって形成されている。
また、第３板バネ８３は、ランプハウジング７０の前面部７１０の内面すなわち光軸方向（ｚ軸方向）の位置決め面にリフレクタ４１７を付勢する。
取り付け部８３０は、断面略Ｌ字形である。取り付け部８３０には、垂下した部分の中央部に開口部８３０Ａが形成されている。
挟持部８３１は、断面略Ｌ字形である。挟持部８３１の垂下した部分は、二股の挟持片８３１Ａ、８３１Ｂとされている。これら挟持片８３１Ａ、８３１Ｂは、上側から下側に向かって略Ｌ字形に形成されている。挟持片８３１Ａは、挟持片８３１Ｂよりも垂下した部分が長い。
これら取り付け部８３０および挟持部８３１は、ランプハウジング７０の前面部７１０およびリフレクタ４１７のフランジ４１７Ａを挟み込むようにする。
【００８１】
図１６には、光源装置４１１の分解斜視図が示されている。次に、図１６を参照して光源装置４１１の組み立ての手順について述べる。
１）ランプハウジング７０の取り付け溝７３２に、第１板バネ８１を取り付ける。
２）コネクタ固定部７６３にコネクタ９０を収納する。コネクタケーブル９０Ａ、９０Ｂと電極端子４１６Ａ、４１６Ｂとをそれぞれ、端子固定部７６１、７６２でネジ９１で固定する。
【００８２】
３）リフレクタ４１７をランプハウジング７０の前面部７１０に合わせて収納する。第２板バネ８２を取り付け部７１３、取り付け溝７１４に取り付け、第２板バネ８２で、ランプハウジング７０の前面部７１０およびリフレクタ４１７のフランジ４１７Ａを挟み込む。第３板バネ８３を取り付け部７１２に取り付け、第３板バネ８３で、ランプハウジング７０の前面部７１０およびリフレクタ４１７のフランジ４１７Ａを挟み込む。この際、リフレクタ４１７の左右方向（ｘ軸方向）および前後方向（ｚ軸方向）の位置決めが完了する。
【００８３】
図１７には、光源装置の収納を示す概略図が示されている。図１７に示されるように、下ライトガイド４７１は、光源装置４１１を収容する収容部４７１Ｅを備えている。収容部４７１Ｅは、下側に開口している。この収容部４７１Ｅの内面側の上面には、押圧部９５が設けられている。押圧部９５は、光源装置４１１の第２板バネ８２の光軸直交方向位置決め部８２４に対応する位置に設けられている。押圧部９５は、先端部分が丸みを帯びている。例えば、押圧部９５は先端部分が丸みを帯びていたが、これを用いなくてもよい。押圧部９５は、第２板バネ８２に、ｙ軸方向に付勢する力を与えればよいので、平面状、その他いかなる形状でもよい。
【００８４】
まず、光源装置４１１を矢印方向（ｙ軸方向）に収容部４７１Ｅに収納する。第２板バネ８２の光軸直交方向位置決め部８２４が押圧部９５に押圧され、第２板バネ８２は、リフレクタ４１７をｙ軸方向に付勢する。この際、リフレクタ４１７の上下方向（ｙ軸方向）の位置決めが完了する。また、下ライトガイド４７１に対する光源装置４１１の挿入方向（ｙ軸方向）の位置決めをも完了する。その後、光源装置４１１を下ライトガイド４７１にネジ止め固定する。
【００８５】
上述のような本実施形態によれば、次のような効果がある。
（１）ランプハウジング７０にリフレクタ４１７を固定する際に、予め、照明光軸方向（ｚ軸方向）、照明光軸直交方向（ｘ、ｙ軸方向）の２方向の計３方向の位置決めを高精度に位置決めする必要がないので、光源装置４１１の組み立ての簡素化を図ることができる。
【００８６】
（２）線状のバネを用いることなく、形状の単純な板バネ８０を用いてリフレクタ４１７を位置決め固定することができる。この形状の単純な板バネ８０は、製造が簡単であるため安価である。従って、部品コストを低減することができる
【００８７】
（３）ここで、複数の板バネ８０（８１、８２、８３）は、ランプハウジング７０に取り付けられていることにより、リフレクタ４１７を付勢する方向にずれが生じることがない。従って、より確実にランプハウジング７０にリフレクタ４１７の位置決め・固定を行うことができる。
【００８８】
（４）照明光軸直交方向にリフレクタ４１７を付勢する第２板バネ８２には、光軸方向位置決め部８２０が設けられていることにより、１つの第２板バネ８２で、２方向の位置決めを行う。従って、部品点数を減らすことができるので、部品コストを低減することができる。
【００８９】
（５）照明光軸直交方向にリフレクタ４１７を付勢する第２板バネ８２は、下ライトガイド４７１に対する光源装置４１１の挿入方向（ｙ軸方向）の位置決めを兼用することにより、リフレクタ４１７の位置決め面に対する位置決めと光源装置４１１の位置決めの２つの作業を１つの作業で行うことができるので、作業効率の向上を図ることができる。
【００９０】
なお、本発明は前記各実施形態に限定されるものではなく、本発明の目的を達成できる範囲での変形、改良は、本発明に含まれるものである。例えば、第３板バネ８３を用いていたが、これを用いなくてもよい。この際、第２板バネ８２を前面部７１０の中央部よりに配置することで、第３バネ板８３を用いないようにすることができる。例えば、第２板バネ８２は、下ライトガイド４７１に対する光源装置４１１の挿入方向（ｙ軸方向）の位置決めを兼用していたが、これを用いなくてもよい。ランプハウジング７０の下ライトガイド４７１との係合部７６０Ａ，７８０Ａ付近の平面部を高精度に成形することで下ライトガイド４７１とのｙ軸方向の位置決めができ，第２板バネ８２は，リフレクタ４１７をｙ軸方向に付勢する目的にしてもよい。
その他、本発明を実施する際の具体的な構造および形状等は、本発明の目的を達成できる範囲内で他の構造等としてもよい。
【００９１】
【発明の効果】
本発明によれば、光源装置の組み立ての簡素化を図ることができ、部品コストを低減することができる。
【図面の簡単な説明】
【図１】本発明に係るプロジェクタを上方前面側から見た斜視図である。
【図２】前記プロジェクタを後方背面側から見た斜視図である。
【図３】前記プロジェクタの内部を示す斜視図であり、具体的には、図１の状態からアッパーケースを外した図である。
【図４】前記プロジェクタの内部を示す斜視図であり、具体的には、図３の状態から制御基板を外した図である。
【図５】前記プロジェクタを構成する光学ユニットを示す分解斜視図である。
【図６】前記光学ユニットを模式的に示す図である。
【図７】前記光学ユニットを構成する光学装置本体を示す斜視図である。
【図８】前記プロジェクタの内部における冷却系を説明するための斜視図であり、具体的には、図４から上ライトガイドおよび前記光学装置本体を取り外し、冷却系を示した図である。
【図９】前記光学ユニットの冷却系を説明するための斜視図である。
【図１０】光源装置の前部の斜視図である。
【図１１】光源装置の後部の斜視図である。
【図１２】固定枠であるランプハウジングの斜視図である。
【図１３】第１板バネの斜視図である。
【図１４】第２板バネの斜視図である。
【図１５】第３板バネの斜視図である。
【図１６】光源装置の分解斜視図である。
【図１７】光源装置の収納を示す概略図である。
【符号の説明】
１      プロジェクタ
４      光学ユニット
７０      ランプハウジング
８０      板バネ
８１      第１板バネ
８２      第２板バネ
８３      第３板バネ
９５      押圧部
４１１      光源装置
４１６      光源ランプ
４１７      リフレクタ
４７１      下ライトガイド
８２０      光軸方向位置決め部
【図１】
0003988499.tif 000002
【図２】
0003988499.tif 000003
【図３】
0003988499.tif 000004
【図４】
0003988499.tif 000005
【図５】
0003988499.tif 000006
【図６】
0003988499.tif 000007
【図７】
0003988499.tif 000008
【図８】
0003988499.tif 000009
【図９】
0003988499.tif 000010
【図１０】
0003988499.tif 000011
【図１１】
0003988499.tif 000012
【図１２】
0003988499.tif 000013
【図１３】
0003988499.tif 000014
【図１４】
0003988499.tif 000015
【図１５】
0003988499.tif 000016
【図１６】
0003988499.tif 000017
【図１７】
0003988499.tif 000018